(57)【要約】  映像表示装置（１００）は、チューナ機器（２００）から無線通信によって映像ストリームを受信する無線通信部（１１０）と、映像ストリームに基づく映像を表示する表示部（１６０）と、ＨＤＭＩ（登録商標）ケーブル（３３０）を介してソース機器（３００）と接続されるＨＤＭＩ（登録商標）コネクタ（１２０）と、ＨＰＤ端子（１２１）から出力させる信号をＨｉレベルにしている場合に、映像ストリームに基づく映像を表示部（１６０）が表示するとき、ＨＰＤ端子（１２１）からソース機器（３００）に出力させる信号をＬｏレベルに変更する変更部（１３１）と、を備える。
2020090527.tif 000002
【特許請求の範囲】
【請求項１】
チューナ機器から無線通信によって映像ストリームを受信する無線通信部と、
前記映像ストリームに基づく映像を表示する表示部と、
ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）ケーブルを介してソース機器と接続されるＨＤＭＩ（登録商標）コネクタと、
前記ＨＤＭＩ（登録商標）ケーブルを介して前記ソース機器と通信するための接続信号を受信した場合に、前記ＨＤＭＩ（登録商標）コネクタが有するＨＰＤ（Ｈｏｔ  Ｐｌｕｇ  Ｄｅｔｅｃｔ）端子から前記ソース機器に出力させる信号をＨｉレベルにし、前記ＨＰＤ端子から出力させる信号をＨｉレベルにしている場合に、前記映像ストリームに基づく映像を前記表示部が表示するとき、前記ＨＰＤ端子から前記ソース機器に出力させる信号をＬｏレベルに変更する変更部と、を備える
映像表示装置。
【請求項２】
前記映像表示装置は、さらに、前記ＨＤＭＩ（登録商標）ケーブルを介した前記ソース機器との通信の通信帯域の少なくとも一部が、前記チューナ機器から受信する前記映像ストリームの通信帯域と重なるか否かを判定する判定部を備え、
前記変更部は、前記ＨＰＤ端子から出力させる信号をＨｉレベルにしている場合に、前記ＨＤＭＩ（登録商標）ケーブルを介した前記ソース機器との通信の通信帯域の少なくとも一部が前記映像ストリームの通信帯域と重なると前記判定部が判定したとき、前記ＨＰＤ端子に出力させる信号をＬｏレベルに変更する
請求項１に記載の映像表示装置。
【請求項３】
ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）ケーブルを介してソース機器と接続される映像表示装置の制御方法であって、
チューナ機器から無線通信によって映像ストリームを受信する無線通信ステップと、
前記映像ストリームに基づく映像を表示する表示ステップと、
前記ＨＤＭＩ（登録商標）ケーブルを介して前記ソース機器と通信するための接続信号を受信した場合に、ＨＤＭＩ（登録商標）コネクタが有するＨＰＤ（Ｈｏｔ  Ｐｌｕｇ  Ｄｅｔｅｃｔ）端子から前記ソース機器に出力させる信号をＨｉレベルにし、前記ＨＰＤ端子から出力させる信号をＨｉレベルにしている場合に、前記映像ストリームに基づく映像を表示するとき、前記ＨＰＤ端子から前記ソース機器に出力させる信号をＬｏレベルに変更する変更ステップと、を含む
映像表示装置の制御方法。
【請求項４】
請求項３に記載の映像表示装置の制御方法をコンピュータに実行させるための
プログラム。
【発明の詳細な説明】
【技術分野】
【０００１】
本開示は、映像表示装置、映像表示装置の制御方法、及び、プログラムに関する。
【背景技術】
【０００２】
特許文献１は、チューナ機器と、チューナ機器から無線通信によって映像データを受信するディスプレイ機器と、を備えるシステムを開示する。ディスプレイ機器は、映像データを蓄積するバッファの使用状況を監視し、チューナ機器に送信する。チューナ機器は、受信したバッファの使用状況に基づき、バッファの映像データの残時間を推定する。また、チューナ機器は、ディスプレイ機器と通信する無線帯域を推定し、推定した映像データの残時間と無線帯域とに基づき、映像データのコンテンツビットレートを変換して、映像データをディスプレイ機器に送信する。こうすることで、特許文献１に開示されているシステムは、映像データに基づく映像の画質の劣化を抑制する。
【先行技術文献】
【特許文献】
【０００３】
【特許文献１】特開２０１１−９９０４号公報
【発明の概要】
【発明が解決しようとする課題】
【０００４】
本開示は、無線通信を介して受信した映像ストリームに基づく映像の画質の劣化を抑制できる映像表示システム等を提供する。
【課題を解決するための手段】
【０００５】
本開示における映像表示装置は、チューナ機器から無線通信によって映像ストリームを受信する無線通信部と、前記映像ストリームに基づく映像を表示する表示部と、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）ケーブルを介してソース機器と接続されるＨＤＭＩ（登録商標）コネクタと、前記ＨＤＭＩ（登録商標）ケーブルを介して前記ソース機器と通信するための接続信号を受信した場合に、前記ＨＤＭＩ（登録商標）コネクタが有するＨＰＤ（Ｈｏｔ  Ｐｌｕｇ  Ｄｅｔｅｃｔ）端子から前記ソース機器に出力させる信号をＨｉレベルにし、前記ＨＰＤ端子から出力させる信号をＨｉレベルにしている場合に、前記映像ストリームに基づく映像を前記表示部が表示するとき、前記ＨＰＤ端子から前記ソース機器に出力させる信号をＬｏレベルに変更する変更部と、を備える。【０００６】
また、本開示における映像表示装置の制御方法は、ＨＤＭＩ（登録商標）ケーブルを介してソース機器と接続される映像表示装置の制御方法であって、チューナ機器から無線通信によって映像ストリームを受信する無線通信ステップと、前記映像ストリームに基づく映像を表示する表示ステップと、前記ＨＤＭＩ（登録商標）ケーブルを介して前記ソース機器と通信するための接続信号を受信した場合に、ＨＤＭＩ（登録商標）コネクタが有するＨＰＤ（Ｈｏｔ  Ｐｌｕｇ  Ｄｅｔｅｃｔ）端子から前記ソース機器に出力させる信号をＨｉレベルにし、前記ＨＰＤ端子から出力させる信号をＨｉレベルにしている場合に、前記映像ストリームに基づく映像を表示するとき、前記ＨＰＤ端子から前記ソース機器に出力させる信号をＬｏレベルに変更する変更ステップと、を含む。【０００７】
また、本開示におけるプログラムは、本開示における映像表示装置の制御方法をコンピュータに実行させるためのプログラムである。
【発明の効果】
【０００８】
本開示における映像表示装置等によれば、無線通信を介して受信した映像ストリームに基づく映像の画質の劣化を抑制できる。
【図面の簡単な説明】
【０００９】
【図１】図１は、実施の形態１における映像表示装置を含むシステムの構成を示す概略図である。
【図２】図２は、実施の形態１における映像表示装置を含むシステムの構成を示すブロック図である。
【図３】図３は、実施の形態１における映像表示装置がＨＰＤ端子から出力させる信号を制御する動作手順の一具体例を示すフローチャートである。
【図４】図４は、実施の形態１における映像表示装置が実行するソース機器との認証処理の一具体例を示すシーケンス図である。
【図５】図５は、実施の形態１における映像表示装置が実行する処理に対するＨＰＤ端子から出力させる信号のレベルの一具体例を示す表である。
【図６】図６は、実施の形態２における映像表示装置を含むシステムの構成を示すブロック図である。
【図７】図７は、実施の形態２における映像表示装置がＨＰＤ端子から出力させる信号を制御する動作手順の一具体例を示すフローチャートである。
【図８】図８は、実施の形態２における映像表示装置が実行する処理に対するＨＰＤ端子から出力させる信号のレベルの一具体例を示す表である。
【発明を実施するための形態】
【００１０】
（本開示の基礎となった知見）
まず、発明者らの着眼点が、下記に説明される。
【００１１】
従来、テレビジョン放送等で送信された映像ストリーム（つまり、映像データ）を受信するチューナ機器と、チューナ機器で受信した映像ストリームに基づく映像を表示する映像表示装置とが、別々の筐体に配置される等して分離されている映像表示システムがある。また、このような映像表示システムにおいて、チューナ機器で受信した映像ストリームが、有線通信ではなく無線通信によって映像表示装置に送信される場合がある。
【００１２】
また、上記の映像表示システムが備える映像表示装置が、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）入力端子（言い換えると、ＨＤＭＩ（登録商標）コネクタ）を備えている場合がある。
【００１３】
映像表示装置がＨＤＭＩ（登録商標）コネクタを備える場合、チューナ機器と映像表示装置との無線通信が、ＨＤＭＩ（登録商標）コネクタに接続されているＨＤＭＩ（登録商標）ケーブルを介した通信（ＨＤＭＩ（登録商標）通信）により干渉される場合がある。
【００１４】
ＨＤＭＩ（登録商標）ケーブルを介した映像データ、音声データ等のデータ伝送には、高速の差動信号であるＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）信号が用いられる。このＴＭＤＳ信号の高調波成分は、ＨＤＭＩ（登録商標）規格に従う送信フォーマット（言い換えると、ＴＭＤＳ信号を用いた通信の通信帯域）によっては、チューナ機器と映像表示装置との無線通信の通信帯域と重なる（つまり、通信帯域に干渉する）場合がある。
【００１５】
例えば、５ＧＨｚの通信帯域を利用したＷｉ−Ｆｉ（登録商標）通信によって、チューナ機器から映像表示装置に映像ストリームが送信された場合、Ｗｉ−Ｆｉ（登録商標）通信に３６Ｃｈ（５．１８ＧＨｚ）、又は、４０Ｃｈ（５．２０ＧＨｚ）が用いられているときに、例えば、ＴＭＤＳ信号が１０８０ｉの規格に従うとき、ＴＭＤＳ信号の通信帯域の高調波（７倍）の周波数は、５．１９２ＧＨｚとなる。そのため、このような場合においては、ＴＭＤＳ信号の高調波成分が、チューナ機器と映像表示装置との無線通信に干渉する場合がある。
【００１６】
また、例えば、５ＧＨｚの通信帯域を利用したＷｉ−Ｆｉ（登録商標）通信によって、チューナ機器から映像表示装置に映像ストリームが送信された場合、Ｗｉ−Ｆｉ（登録商標）通信に１１２Ｃｈ（５．５６ＧＨｚ）、又は、１１６Ｃｈ（５．５８ＧＨｚ）が用いられているときに、例えば、ＴＭＤＳ信号が１０８０ｐの規格に従うとき、ＴＭＤＳ信号の通信帯域の高調波（３倍）の周波数は、５．５６３ＧＨｚとなる。そのため、このような場合においてもまた、ＴＭＤＳ信号の高調波成分が、チューナ機器と映像表示装置との無線通信に干渉する場合がある。
【００１７】
これらのように、ＨＤＭＩ（登録商標）通信の通信帯域が、無線通信の通信帯域と干渉していると、無線通信による伝送可能な伝送レート（言い換えると、ビットレート）が低くなるため、映像表示装置に表示される、映像ストリームに基づく映像の画質が劣化してしまう。
【００１８】
以上の観点から、チューナ機器と映像表示機器とが無線通信している場合には、映像表示装置におけるＨＤＭＩ（登録商標）通信を停止することで、映像表示装置に表示される映像の画質の劣化を抑制できると考えられる。
【００１９】
ここで、ＢＤ（Ｂｌｕ−ｒａｙ（登録商標）  Ｄｉｓｋ）プレーヤ等のソース機器と映像表示装置（つまり、シンク機器）とがＨＤＭＩ（登録商標）ケーブルで接続された場合、まず、ソース機器は、映像表示装置と通信するための接続信号を、ＨＤＭＩ（登録商標）ケーブルを介して映像表示装置に送信する。具体的には、ソース機器は、映像表示装置と通信するために、＋５Ｖ端子（より具体的には、１８ｐｉｎ）から出力させる信号をＨｉレベルにすることで、接続信号を送信する。つまり、ソース機器は、１８ｐｉｎから＋５Ｖを接続信号として出力させる。次に、映像表示装置は、ＨＤＭＩ（登録商標）コネクタが有する＋５Ｖ端子のＨｉレベルを検出した場合、ＨＰＤ（Ｈｏｔ  Ｐｌｕｇ  Ｄｅｔｅｃｔ）端子（より具体的には、１９ｐｉｎ）の出力をＨｉレベルにする。より具体的には、映像表示装置は、＋５Ｖ端子でＨｉレベルの信号を検出した場合に、ＨＰＤ端子に出力させる電位を基準電位（例えば、０Ｖ等のグランド電位）であるＬｏレベルの電位から＋５Ｖ、つまり、Ｈｉレベルの電位に変更する。ソース機器は、ＨＰＤ端子でＨｉレベルの信号を検出することで、ＨＤＭＩ（登録商標）ケーブルが映像表示装置と通信可能に接続されたことを認識する。さらに、ソース機器は、ＨＤＭＩ（登録商標）ケーブルにおけるＤＤＣ（Ｄｉｓｐｌａｙ  Ｄａｔａ  Ｃｈａｎｎｅｌ）ラインを通じて、映像表示装置からＥＤＩＤ（Ｅｘｔｅｎｄｅｄ  Ｄｉｓｐｌａｙ  Ｉｄｅｎｔｉｆｉｃａｔｉｏｎ  Ｄａｔａ）を取得して、ＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）の認証を実行する。こうすることで、映像表示装置とソース機器とは、互いにＨＤＭＩ（登録商標）の認証を行う。ソース機器は、このような認証を行った後で、ＴＭＤＳ信号を映像表示装置へ送信する。映像表示装置は、ソース機器から受信したＴＭＤＳ信号に基づく動作（例えば、映像の表示、音声の出力等）を実行する。
【００２０】
ここで、例えば、映像表示装置とソース機器との間で認証がなされた後で、ＨＰＤ端子の出力をＨｉレベルに維持したまま、つまり、映像表示装置とソース機器との間でＴＭＤＳ信号の通信を可能な状態に維持したまま、映像表示装置においてチューナ機器から受信している映像ストリームに基づく映像の表示をしているとする。こうしておけば、例えば、映像表示装置の表示を映像ストリームに基づく映像からＴＭＤＳ信号に基づく映像に切り替える場合に、認証を再度行うことなく、ソース機器と映像表示装置とは、ＨＤＭＩ（登録商標）ケーブルを介して通信できる。一方、例えば、映像表示装置とソース機器との間で認証がなされた後で、ＨＰＤ端子の出力をＬｏレベルに変更する、つまり、映像表示装置とソース機器との間で通信を一度遮断するとする。このような場合に、映像表示装置とソース機器とで通信を再度行う際には、ＨＤＣＰの認証を再度行う必要がある。そのため、映像表示装置とソース機器との間でＴＭＤＳ信号の通信を可能な状態に維持しておくことで、映像表示装置は、ＴＭＤＳ信号に基づく映像を表示するまでの時間（出画時間）を、認証に係る時間の分だけ短くすることができる。
【００２１】
以上のように、映像ストリームの画質の観点からは、映像表示装置とソース機器との間の通信を遮断した方がよいが、映像表示装置がＴＭＤＳ信号に基づく処理を実行するまでの時間の観点からは、映像表示装置とソース機器との間の通信を維持していた方がよい。
【００２２】
以上を鑑み、発明者らは本開示を創作するに至った。
【００２３】
以下、適宜図面を参照しながら、各実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００２４】
なお、発明者らは、当業者が本開示を十分に理解するために添付図面及び以下の説明を提供するのであって、これらによって請求の範囲に記載の主題を限定することを意図するものではない。
【００２５】
（実施の形態１）
以下、図１〜図５を用いて、実施の形態１を説明する。
【００２６】
［１−１．構成］
＜概要＞
図１は、実施の形態１における映像表示装置１００を含む映像表示システム４００の構成を示す概略図である。
【００２７】
図１に示すように、映像表示システム４００は、映像表示装置１００と、映像表示装置１００と無線通信可能なチューナ機器２００と、映像表示装置１００とＨＤＭＩ（登録商標）ケーブル３３０を介して通信可能なソース機器３００と、を備える。
【００２８】
映像表示装置１００は、無線通信及び有線通信によって他の機器と通信し、受信した信号に基づく映像を表示する装置である。映像表示装置１００は、例えば、映像を表示するモニタ装置、テレビジョン等である。また、映像表示装置１００は、例えば、チューナ機器２００と無線通信可能に接続されており、且つ、ソース機器３００と有線通信可能に、より具体的には、ＨＤＭＩ（登録商標）ケーブル３３０を介して通信可能に接続されている。なお、映像表示装置１００が、無線通信、及び、有線通信によって他の機器と通信可能に接続されていればよく、通信可能に接続される他の機器の台数は、特に限定されない。図１には、映像表示装置１００が有線通信可能に１台のソース機器３００と接続され、且つ、無線通信可能に１台のチューナ機器２００と接続されている場合について例示している。
【００２９】
例えば、映像表示装置１００は、図示しない基地局等から放送された番組等の映像ストリームを受信したチューナ機器２００から当該映像ストリームを受信して、受信した映像ストリームに基づく映像を表示する。
【００３０】
チューナ機器２００は、図示しない基地局等と通信（遠距離無線通信）することで、当該基地局等から放送された番組等の映像ストリームを受信するためのアンテナ等と接続された受信機である。チューナ機器２００は、例えば、テレビジョン受信機である。チューナ機器２００は、受信した映像ストリームを、無線通信（近距離無線通信）によって映像表示装置１００へ送信する。チューナ機器２００と映像表示装置１００との無線通信方法は、特に限定されない。チューナ機器２００と映像表示装置１００との無線通信は、例えば、Ｂｌｕｅｔｏｏｔｈ（登録商標）、Ｗｉ−Ｆｉ（登録商標）、又は、ＺｉｇＢｅｅ（登録商標）等の所定の無線通信規格に基づいて行われる。なお、以下では、チューナ機器２００と映像表示装置１００とは、Ｗｉ−Ｆｉ（登録商標）の規格に沿った無線通信を行うとして説明する。
【００３１】
また、例えば、映像表示装置１００は、ソース機器３００から送信されたＨＤＭＩ（登録商標）規格に基づくＴＭＤＳ信号を、ＨＤＭＩ（登録商標）ケーブル３３０を介して受信して、受信したＴＭＤＳ信号に基づく動作を実行する。具体的に例えば、映像表示装置１００は、ソース機器３００から送信されたＴＭＤＳ信号の一例である映像データを、ＨＤＭＩ（登録商標）ケーブル３３０を介して受信して、受信した映像データに基づいた映像を表示させる。
【００３２】
ソース機器３００は、映像表示装置１００とＨＤＭＩ（登録商標）ケーブル３３０を介して通信可能に接続されており、映像表示装置１００に映像データ等のＴＭＤＳ信号を送信する機器である。ソース機器３００としては、ＢＤプレーヤ、レコーダ、ゲーム機器、パーソナルコンピュータ等が例示される。なお、以下では、ソース機器３００は、ＴＭＤＳ信号として映像データを映像表示装置１００に送信するＢＤプレーヤであるとして説明する。
【００３３】
図２は、実施の形態１における映像表示装置１００を含む映像表示システム４００の構成を示すブロック図である。
【００３４】
＜映像表示装置＞
映像表示装置１００は、無線通信部１１０と、ＨＤＭＩ（登録商標）コネクタ１２０と、制御部１３０と、切替部１４０と、映像処理部１５０と、表示部１６０と、電源ボタン１７０と、切替ボタン１７１と、を備える。
【００３５】
無線通信部１１０は、チューナ機器２００と無線通信する無線通信インターフェースである。無線通信部１１０は、例えば、無線通信モジュールを有し、チューナ機器２００が送信した通信ストリームを受信する。
【００３６】
ＨＤＭＩ（登録商標）コネクタ１２０は、ソース機器３００とＨＤＭＩ（登録商標）ケーブル３３０を介して通信するための通信インターフェースである。具体的には、ＨＤＭＩ（登録商標）コネクタ１２０は、ＨＤＭＩ（登録商標）ケーブル３３０を介してソース機器３００と接続されるコネクタであり、ソース機器３００が送信したＴＭＤＳ信号等の信号を受信する。ＨＤＭＩ（登録商標）コネクタ１２０は、ＨＤＭＩ（登録商標）の規格に従ってＨＰＤ端子１２１等を含む複数の端子（ｐｉｎ）を備える。
【００３７】
制御部１３０は、映像表示装置１００が実行する各種処理を実行させる処理部である。制御部１３０は、例えば、ユーザによって電源ボタン１７０が操作された場合、映像表示装置１００と電気的に接続された図示しない外部商用電源等の電源から表示部１６０に電力を供給して表示部１６０に映像ストリーム又はＴＭＤＳ信号に基づく映像を表示させる。また、例えば、制御部１３０は、ユーザによって切替ボタン１７１が操作された場合、切替部１４０を制御することで、表示部１６０に表示させる映像を、チューナ機器２００から受信した映像ストリームに基づく映像と、ソース機器３００から受信したＴＭＤＳ信号に基づく映像とで選択的に切り替える。
【００３８】
制御部１３０は、例えば、ＣＰＵ（Ｃｅｎｔｒａｌ  Ｐｒｏｃｅｓｓｉｎｇ  Ｕｎｉｔ）と、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）等の映像表示装置１００が備える図示しないメモリに記憶された制御プログラムとによって実現される。
【００３９】
また、制御部１３０は、機能的には、変更部１３１を備える。
【００４０】
変更部１３１は、ＨＤＭＩ（登録商標）ケーブル３３０を介してソース機器３００と通信するための接続信号を受信した場合に、ＨＤＭＩ（登録商標）コネクタ１２０が有するＨＰＤ端子１２１からソース機器３００に出力させる信号をＨｉレベルにする。また、変更部１３１は、ＨＰＤ端子１２１から出力させる信号をＨｉレベルにしている場合に、映像ストリームに基づく映像を表示部１６０が表示するとき、ＨＰＤ端子１２１からソース機器３００に出力させる信号をＬｏレベルに変更する。例えば、Ｌｏレベルの信号は、グランド電位（より具体的には、０Ｖ）であり、Ｈｉレベルの信号は、＋５Ｖである。ＨＰＤ端子１２１からソース機器３００に出力させる信号をＬｏレベルに変更することで、ソース機器３００は、映像表示装置１００と通信可能に接続されていないと判定する。そのため、ＨＰＤ端子１２１からソース機器３００に出力させる信号をＬｏレベルに変更することで、ソース機器３００は、映像表示装置１００にＴＭＤＳ信号の送信を停止する。言い換えると、変更部１３１は、ＨＰＤ端子１２１からソース機器３００に出力させる信号をＬｏレベルに変更することで、ソース機器３００がＴＭＤＳ信号を送信することを停止させることができる。
【００４１】
切替部１４０は、表示部１６０に表示させる映像を、チューナ機器２００から受信した映像ストリームに基づく映像と、ソース機器３００から受信したＴＭＤＳ信号に基づく映像とで選択的に切り替えるためのスイッチである。切替部１４０は、表示部１６０に表示させる映像を、映像ストリームに基づく映像と、ＴＭＤＳ信号に基づく映像とで選択的に切り替えることができればよく、回路等によりハードウェア的に実現されてもよいし、ソフトウェア的に実現されてもよい。
【００４２】
映像処理部１５０は、チューナ機器２００から受信した映像ストリーム、及び、ソース機器３００から受信したＴＭＤＳ信号を処理することで、表示部１６０に映像ストリーム、及び、ＴＭＤＳ信号に基づく映像を表示させる処理部である。映像ストリーム及びＴＭＤＳ信号は、所定の規格に基づいて符号化されている。そのため、映像処理部１５０は、符号化された映像ストリーム及びＴＭＤＳ信号を復号し、復号した情報に基づく映像を表示部１６０に表示させる。
【００４３】
映像処理部１５０は、例えば、ＣＰＵと、ＲＯＭ、ＲＡＭ、ＨＤＤ、ＳＳＤ等の映像表示装置１００が備える図示しないメモリに記憶された制御プログラムとによって実現される。
【００４４】
なお、制御部１３０及び映像処理部１５０は、１つのＣＰＵ及び１つのメモリで実現されてもよいし、それぞれ異なるＣＰＵ及びメモリで実現されてもよい。
【００４５】
表示部１６０は、映像ストリーム、及び、ＴＭＤＳ信号に基づく映像を表示するディスプレイである。表示部１６０は、映像を表示できればよく、液晶ディスプレイ、有機ＥＬ（Ｅｌｅｃｔｒｏｌｕｍｉｎｅｓｃｅｎｃｅ）ディスプレイ等、任意に選択されてよい。
【００４６】
電源ボタン１７０は、ユーザに操作されることで、制御部１３０が映像表示装置１００の電源のオンオフ、待機状態等を切り替えるためのボタンである。例えば、制御部１３０は、映像表示装置１００の電源がオンの状態で電源ボタン１７０が操作されたことを示す信号を電源ボタン１７０から取得した場合、表示部１６０への電力の供給を取り止め、映像表示装置１００が備える一部の機器のみに電力を供給する状態である待機状態に映像表示装置１００が備える各機器への電力の供給状態を変更する。
【００４７】
切替ボタン１７１は、ユーザに操作されることで、表示部１６０に表示させる映像を、制御部１３０が、チューナ機器２００から受信した映像ストリームに基づく映像と、ソース機器３００から受信したＴＭＤＳ信号に基づく映像とで選択的に切替部１４０に切り替えさせるためのボタンである。
【００４８】
なお、電源ボタン１７０及び切替ボタン１７１は、ユーザが押下等の操作可能なボタンで実現されてもよいし、ユーザが操作する操作卓からの、電源のオンオフ、上述した待機状態への変更処理、表示部１６０に表示させる映像の切り替え等の操作を示す操作信号を受信するためのセンサで実現されてもよい。また、例えば、映像表示装置１００は、ユーザの音声を検出するマイク等を有するスマートスピーカをさらに備え、当該スマートスピーカから操作信号を取得してもよい。
【００４９】
＜チューナ機器＞
チューナ機器２００は、チューナ部２１０と、ストリーム処理部２２０と、無線通信部２３０と、を備える。
【００５０】
チューナ部２１０は、映像ストリームを外部から受信するためのアンテナと接続されたチューナである。
【００５１】
ストリーム処理部２２０は、チューナ部２１０で受信した映像ストリームを、予め定められたビットレートに変換する処理部である。
【００５２】
チューナ機器２００と映像表示装置１００とが無線通信する際の通信帯域のビットレートが足りない場合には、映像表示装置１００で表示している映像がフリーズする場合がある。そこで、映像表示装置１００における映像のフリーズを防ぐために、ストリーム処理部２２０は、無線通信の通信帯域のビットレートが低い場合には、チューナ機器２００で受信した映像ストリームをデコードし、通信帯域に対応したビットレートで再エンコードし、映像ストリームを送信する。
【００５３】
無線通信部２３０は、ストリーム処理部２２０でビットレートが変換された映像ストリームを映像表示装置１００へ無線通信によって送信する無線通信インターフェースである。
【００５４】
なお、チューナ機器２００は、検出部２４０をさらに備えてもよい。
【００５５】
検出部２４０は、チューナ機器２００と映像表示装置１００との間で無線通信されている信号の無線通信帯域を検出する検出器である。チューナ機器２００が検出部２４０を備える場合、ストリーム処理部２２０は、予め定められたビットレートではなく、検出部２４０で検出されたチューナ機器２００と映像表示装置１００との間の無線通信帯域から、映像ストリームを変換するビットレートを決定し、決定したビットレートに映像ストリームのビットレートを変換してもよい。
【００５６】
＜ソース機器＞
ソース機器３００は、信号処理部３１０と、ＨＤＭＩ（登録商標）コネクタ３２０と、を備える。
【００５７】
信号処理部３１０は、映像表示装置１００に送信するＴＭＤＳ信号を処理する処理部である。信号処理部３１０は、例えば、ＢＤディスク等の映像データを記録する図示しない記憶部から図示しないセンサ等によって映像データを読み込み、ＨＤＭＩ（登録商標）の規格に基づいて当該映像データを符号化してＴＭＤＳ信号を生成する。
【００５８】
ＨＤＭＩ（登録商標）コネクタ３２０は、ＨＤＭＩ（登録商標）ケーブル３３０と接続されており、信号処理部３１０で生成されたＴＭＤＳ信号を映像表示装置１００にＨＤＭＩ（登録商標）ケーブル３３０を介して送信するための通信インターフェースである。ＨＤＭＩ（登録商標）コネクタ３２０は、ＨＤＭＩ（登録商標）の規格に従ってＨＰＤ端子３２１を含む複数の端子を備える。
【００５９】
［１−２．動作］
以上のように構成された映像表示装置１００について、その動作を以下説明する。
【００６０】
図３は、実施の形態１における映像表示装置１００がＨＰＤ端子１２１から出力させる電圧を制御する動作手順の一具体例を示すフローチャートである。
【００６１】
まず、制御部１３０は、電源ボタン１７０から電源をオンにする旨を示す信号を取得して映像表示装置１００の電源をオンにしたとする（ステップＳ１０１）。なお、ステップＳ１０１の前に、映像表示装置１００は、チューナ機器２００と予め無線通信可能に接続されており、且つ、ソース機器３００とＨＤＭＩ（登録商標）ケーブル３３０を介して接続されているとする。
【００６２】
次に、制御部１３０は、映像表示装置１００の電源がオンになってからＨＤＭＩ（登録商標）ケーブル３３０を介して接続信号を初めて受信した場合、ＨＤＭＩ（登録商標）コネクタ１２０が有するＨＰＤ端子１２１に出力させる信号をＨｉレベルにする（ステップＳ１０２）。
【００６３】
次に、映像表示装置１００とソース機器３００とは、ＨＤＭＩ（登録商標）ケーブル３３０を介して通信して認証処理を実行する（ステップＳ１０３）。
【００６４】
図４は、実施の形態１における映像表示装置１００が実行するソース機器３００との認証処理の一具体例を示すシーケンス図である。具体的には、図４は、図３のステップＳ１０２及びステップＳ１０３の一具体例を示すシーケンス図である。
【００６５】
まず、ソース機器３００は、ＨＤＭＩ（登録商標）コネクタ３２０が有する＋５Ｖ端子（より具体的には、１８ｐｉｎ）に出力させる信号をＨｉレベルにすることで、映像表示装置１００に＋５Ｖの信号を接続信号として送信する（ステップＳ２０１）。
【００６６】
次に、映像表示装置１００は、ソース機器３００から送信された＋５Ｖの信号を、ＨＤＭＩ（登録商標）コネクタ１２０が有する＋５Ｖ端子で検出した場合、ＨＰＤ端子１２１（より具体的には、１９ｐｉｎ）に出力させる信号をＨｉレベルにすることで、ソース機器３００に＋５Ｖの信号を送信する（ステップＳ２０２）。より具体的には、映像表示装置１００は、＋５Ｖ端子においてＨｉレベルの信号を検出した場合に、ＨＰＤ端子１２１に出力させる電圧をＬｏレベルからＨｉレベルに変更する。
【００６７】
次に、ソース機器３００は、ＨＰＤ端子３２１においてＨｉレベルの信号を検出した場合、ＨＤＭＩ（登録商標）ケーブル３３０がソース機器３００に接続されたことを認識する。
【００６８】
次に、ソース機器３００は、ＨＤＭＩ（登録商標）ケーブル３３０におけるＤＤＣラインを通じて、映像表示装置１００からＥＤＩＤを取得して、ＨＤＣＰの認証を実行する（ステップＳ２０３）。こうすることで、映像表示装置１００とソース機器３００とは、互いにＨＤＭＩ（登録商標）の認証を行う。
【００６９】
これにより、次に、例えば、ソース機器３００がＴＭＤＳ信号を映像表示装置１００へ送信する（ステップＳ２０４）ことで、映像表示装置１００は、ソース機器３００から受信したＴＭＤＳ信号に基づく動作（例えば、映像の表示、音声の出力等）を実行できるようになる。
【００７０】
なお、ステップＳ１０１の処理が待機状態からの変更であって、待機状態に変更する前に、映像表示装置１００とソース機器３００とで認証処理がすでに行われて、待機状態においてＨＤＭＩ（登録商標）コネクタ１２０が有するＨＰＤ端子１２１からＨｉレベルの信号が出力されている状態である場合、ステップＳ１０１を実行した際には、すでにステップＳ１０２及びステップＳ１０３の処理が完了している状態であるため、ステップＳ１０２及びステップＳ１０３を実行しなくてもよい。
【００７１】
再び図３を参照し、ステップＳ１０３の次に、制御部１３０は、映像ストリームに基づく映像を表示部１６０に表示させる指示を切替ボタン１７１から取得したか否かを判定する（ステップＳ１０４）。
【００７２】
制御部１３０が映像ストリームに基づく映像を表示部１６０に表示させる指示を切替ボタン１７１から取得したと判定した場合（ステップＳ１０４でＹｅｓ）、変更部１３１は、ＨＰＤ端子１２１に出力させる信号をＨｉレベルからＬｏレベルに変更させる（ステップＳ１０５）。
【００７３】
次に、制御部１３０は、映像ストリームに基づく映像を表示部１６０に表示させる（ステップＳ１０６）。
【００７４】
次に、制御部１３０は、表示部１６０に表示させる映像を、映像ストリームに基づく映像からＴＭＤＳ信号に基づく映像に変更させる指示を切替ボタン１７１から取得したか否かを判定する（ステップＳ１０７）。
【００７５】
制御部１３０は、表示部１６０に表示させる映像を、映像ストリームに基づく映像からＴＭＤＳ信号に基づく映像に変更させる指示を切替ボタン１７１から取得しない場合（ステップＳ１０７でＮｏ）、ステップＳ１０６に処理を戻し、映像ストリームに基づく映像を表示部１６０に表示させ続ける。
【００７６】
一方、制御部１３０が表示部１６０に表示させる映像を、映像ストリームに基づく映像からＴＭＤＳ信号に基づく映像に変更させる指示を切替ボタン１７１から取得した場合（ステップＳ１０７でＹｅｓ）、変更部１３１は、ＨＤＭＩ（登録商標）コネクタ１２０が有するＨＰＤ端子１２１に出力させる信号をＨｉレベルにし（ステップＳ１０８）、ステップＳ１０３と同様に映像表示装置１００とソース機器３００とは、ＨＤＭＩ（登録商標）ケーブル３３０を介して通信して認証処理を実行する（ステップＳ１０９）。
【００７７】
また、制御部１３０は、映像ストリームに基づく映像を表示部１６０に表示させる指示を切替ボタン１７１から取得したと判定しない場合（ステップＳ１０４でＮｏ）、ＴＭＤＳ信号に基づく映像を表示部１６０に表示させる指示を切替ボタン１７１から取得したか否かを判定する（ステップＳ１１０）。
【００７８】
制御部１３０は、ＴＭＤＳ信号に基づく映像を表示部１６０に表示させる指示を切替ボタン１７１から取得しない場合（ステップＳ１１０でＮｏ）、例えば、処理をステップＳ１０４に戻す。
【００７９】
一方、制御部１３０は、ＴＭＤＳ信号に基づく映像を表示部１６０に表示させる指示を切替ボタン１７１から取得したと判定した場合（ステップＳ１１０でＹｅｓ）、又は、ステップＳ１０９の次に、ＴＭＤＳ信号に基づく映像を表示部１６０に表示させる（ステップＳ１１１）。
【００８０】
次に、制御部１３０は、表示部１６０に表示させる映像を、ＴＭＤＳ信号に基づく映像から映像ストリームに基づく映像に変更させる指示を切替ボタン１７１から取得したか否かを判定する（ステップＳ１１２）。
【００８１】
制御部１３０は、表示部１６０に表示させる映像を、ＴＭＤＳ信号に基づく映像から映像ストリームに基づく映像に変更させる指示を切替ボタン１７１から取得しない場合（ステップＳ１１２でＮｏ）、ステップＳ１１１に処理を戻し、ＴＭＤＳ信号に基づく映像を表示部１６０に表示させ続ける。
【００８２】
一方、制御部１３０が表示部１６０に表示させる映像を、ＴＭＤＳ信号に基づく映像から映像ストリームに基づく映像に変更させる指示を切替ボタン１７１から取得した場合（ステップＳ１１２でＹｅｓ）、処理をステップＳ１０５に移行する。
【００８３】
図５は、実施の形態１における映像表示装置１００が実行する処理に対するＨＰＤ端子１２１に出力させる信号のレベルの一具体例を示す表である。
【００８４】
例えば、変更部１３１は、映像表示装置１００の電源がオンである場合に、切替部１４０の入力が映像ストリーム入力であるとき、つまり、表示部１６０に映像ストリームに基づく映像を表示させているとき、ＨＰＤ端子１２１からＬｏレベルの信号を出力させる。
【００８５】
また、例えば、変更部１３１は、映像表示装置１００の電源がオンである場合に、切替部１４０の入力がＴＭＤＳ信号入力であるとき、つまり、表示部１６０にＴＭＤＳ信号に基づく映像を表示させているとき、ＨＰＤ端子１２１からはＨｉレベルの信号を出力させる。
【００８６】
また、例えば、変更部１３１は、映像表示装置１００の電源が待機状態である場合に、つまり、表示部１６０に映像を表示させていない状態である場合には、ＨＰＤ端子１２１からＨｉレベルの信号を出力させる。
【００８７】
［１−３．効果等］
以上のように、実施の形態１において、映像表示装置１００は、チューナ機器２００から無線通信によって映像ストリームを受信する無線通信部１１０と、映像ストリームに基づく映像を表示する表示部１６０と、ＨＤＭＩ（登録商標）ケーブル３３０を介してソース機器３００と接続されるＨＤＭＩ（登録商標）コネクタ１２０と、ＨＤＭＩ（登録商標）ケーブル３３０を介してソース機器３００と通信するための接続信号を受信した場合に、ＨＤＭＩ（登録商標）コネクタ１２０が有するＨＰＤ端子１２１からソース機器３００に出力させる信号をＨｉレベルにし、ＨＰＤ端子１２１から出力させる信号をＨｉレベルにしている場合に、映像ストリームに基づく映像を表示部１６０が表示するとき、ＨＰＤ端子１２１からソース機器３００に出力させる信号をＬｏレベルに変更する変更部１３１と、を備える。
【００８８】
このような構成によれば、変更部１３１は、映像ストリームに基づく映像を表示部１６０が表示している場合には、ＴＭＤＳ信号を受信できない状態、つまり、疑似的にソース機器３００と映像表示装置１００とが接続されていない状態とする。これにより、映像ストリームを受信している無線通信に、ＨＤＭＩ（登録商標）通信によるノイズが干渉することを抑制することができる。そのため、映像ストリームに基づく映像の劣化は、抑制され得る。
【００８９】
（実施の形態２）
以下、図６〜図８を用いて、実施の形態２を説明する。なお、実施の形態１と実質的に同一の構成に対しては同一の符号を付しており、重複する説明は省略又は簡略化する場合がある。
【００９０】
［２−１．構成］
図６は、実施の形態２における映像表示装置１００ａを含む映像表示システム４００ａの構成を示すブロック図である。
【００９１】
映像表示システム４００ａは、映像表示装置１００ａと、チューナ機器２００と、ソース機器３００と、を備える。
【００９２】
映像表示装置１００ａは、無線通信部１１０と、ＨＤＭＩ（登録商標）コネクタ１２０と、制御部１３０ａと、切替部１４０と、映像処理部１５０と、表示部１６０と、電源ボタン１７０と、切替ボタン１７１と、を備える。
【００９３】
制御部１３０ａは、映像表示装置１００ａが実行する各種処理を実行させる処理部である。制御部１３０ａは、例えば、ユーザによって電源ボタン１７０が操作された場合、映像表示装置１００と電気的に接続された図示しない外部商用電源等の電源から表示部１６０に電力を供給して表示部１６０に映像ストリーム又はＴＭＤＳ信号に基づく映像を表示させる。また、例えば、制御部１３０ａは、ユーザによって切替ボタン１７１が操作された場合、切替部１４０を制御することで、表示部１６０に表示させる映像を、チューナ機器２００から受信した映像ストリームに基づく映像と、ソース機器３００から受信したＴＭＤＳ信号に基づく映像とで選択的に切り替える。
【００９４】
制御部１３０ａは、例えば、ＣＰＵと、ＲＯＭ、ＲＡＭ、ＨＤＤ、ＳＳＤ等の映像表示装置１００ａが備える図示しないメモリに記憶された制御プログラムとによって実現される。
【００９５】
また、制御部１３０ａは、機能的には、変更部１３１ａと、判定部１３２と、を備える。
【００９６】
判定部１３２は、ＨＤＭＩ（登録商標）ケーブル３３０を介したソース機器３００との通信の通信帯域の少なくとも一部が、チューナ機器２００から受信する映像ストリームの通信帯域と重なるか否かを判定する。具体的には、判定部１３２は、ソース機器３００から受信するＴＭＤＳ信号の通信帯域（より具体的には、高調波成分を含む通信帯域）の少なくとも一部が、チューナ機器２００から受信する映像ストリームの通信帯域と重なるか否かを判定する。
【００９７】
判定部１３２は、ＴＭＤＳ信号の通信帯域を、例えば、受信したＴＭＤＳ信号から取得する。ＴＭＤＳ信号に用いられる通信帯域は、ＨＤＭＩ（登録商標）の規格により定められるため、映像表示装置１００ａは、予めＴＭＤＳ信号の通信帯域を図示しないメモリ等の記憶部に記憶していてもよい。また、判定部１３２は、通信ストリームの通信帯域を、例えば、受信した通信ストリームから取得する。映像表示装置１００ａは、予め通信ストリームの通信帯域を図示しないメモリ等の記憶部に記憶していてもよい。
【００９８】
変更部１３１ａは、ＨＤＭＩ（登録商標）ケーブル３３０を介してソース機器３００と通信するための接続信号を受信した場合に、ＨＤＭＩ（登録商標）コネクタ１２０が有するＨＰＤ端子１２１からソース機器３００に出力させる信号をＨｉレベルにする。また、変更部１３１ａは、ＨＰＤ端子１２１から出力させる信号をＨｉレベルにしている場合に、ＨＤＭＩ（登録商標）ケーブル３３０を介したソース機器３００との通信の通信帯域の少なくとも一部が前記映像ストリームの通信帯域と重なると判定部１３２が判定したとき、ＨＰＤ端子１２１に出力させる信号をＬｏレベルに変更する。具体的には、変更部１３１ａは、ＨＰＤ端子１２１から出力させる信号をＨｉレベルにしている場合に、映像ストリームに基づく映像を表示部１６０が表示するとき、ＴＭＤＳ信号の通信帯域の少なくとも一部が映像ストリームの通信帯域と重なると判定部１３２が判定したとき、ＨＰＤ端子１２１に出力させる信号をＬｏレベルに変更する。
【００９９】
なお、変更部１３１ａと判定部１３２とは、１つのＣＰＵ及び１つのメモリで実現されてもよいし、それぞれ異なるＣＰＵ及びメモリで実現されてもよい。
【０１００】
［２−２．動作］
以上のように構成された映像表示装置１００ａについて、その動作を以下説明する。なお、実施の形態１と同様のステップについては、同様の符号を付し、説明を省略する場合がある。
【０１０１】
図７は、実施の形態２における映像表示装置１００ａがＨＰＤ端子１２１から出力させる信号を制御する動作手順の一具体例を示すフローチャートである。なお、図７には、実施の形態２における映像表示装置１００ａが実行する、実施の形態１における映像表示装置１００の動作の一具体例を示した図３に示すフローチャートとの差異点を記載している。つまり、実施の形態２における映像表示装置１００ａは、図７に示すフローチャートの動作と、図３に示すフローチャートの動作とを実行する。
【０１０２】
まず、映像表示装置１００ａが、図３に示すステップＳ１０１〜ステップＳ１０４までの動作を実行したとする。
【０１０３】
次に、制御部１３０ａが映像ストリームに基づく映像を表示部１６０に表示させる指示を切替ボタン１７１から取得したと判定した場合（ステップＳ１０４でＹｅｓ）、判定部１３２は、ソース機器３００から受信するＴＭＤＳ信号の通信帯域の少なくとも一部が、チューナ機器２００から受信する映像ストリームの通信帯域と重なるか否かを判定する（ステップＳ３０１）。
【０１０４】
判定部１３２がソース機器３００から受信するＴＭＤＳ信号の通信帯域の少なくとも一部が、チューナ機器２００から受信する映像ストリームの通信帯域と重なると判定した場合（ステップＳ３０１でＹｅｓ）、変更部１３１ａは、図３に示すステップＳ１０５と同様に、ＨＰＤ端子１２１に出力させる信号をＨｉレベルからＬｏレベルに変更させ、処理を図３に示すステップＳ１０６に移行させる。
【０１０５】
一方、判定部１３２がソース機器３００から受信するＴＭＤＳ信号の通信帯域が、チューナ機器２００から受信する映像ストリームの通信帯域と重ならないと判定した場合（ステップＳ３０１でＮｏ）、変更部１３１ａはＨＰＤ端子１２１に出力させる信号をＨｉレベルからＬｏレベルに変更させずに、Ｈｉレベルの信号をＨＰＤ端子１２１に出力させたまま、処理を図３に示すステップＳ１０６に移行させる。
【０１０６】
図８は、実施の形態２における映像表示装置１００ａが実行する処理に対するＨＰＤ端子１２１から出力させる信号のレベルの一具体例を示す表である。
【０１０７】
例えば、変更部１３１ａは、映像表示装置１００ａの電源がオンである場合に、切替部１４０の入力が映像ストリーム入力であるとき、つまり、表示部１６０に映像ストリームに基づく映像を表示させているとき、且つ、無線通信とＨＤＭＩ（登録商標）との通信帯域、より具体的には、無線通信の通信帯域とＨＤＭＩ（登録商標）の通信帯域の高調波成分とが重ならないとき、ＨＰＤ端子１２１からはＨｉレベルの信号を出力させる。
【０１０８】
また、例えば、変更部１３１ａは、映像表示装置１００ａの電源がオンである場合に、切替部１４０の入力が映像ストリーム入力であるとき、且つ、無線通信とＨＤＭＩ（登録商標）との通信帯域、より具体的には、無線通信の通信帯域とＨＤＭＩ（登録商標）の通信帯域の高調波成分との少なくとも一部が重なるとき、ＨＰＤ端子１２１からはＬｏレベルの信号を出力させる。
【０１０９】
なお、例えば、変更部１３１ａは、映像表示装置１００ａの電源がオンである場合に、切替部１４０の入力が映像ストリーム入力であるときにおいても、ＴＭＤＳ信号の入力を受け付けていないときにおいては、ＨＰＤ端子１２１にＬｏレベルの信号を出力させる。
【０１１０】
このように、例えば、変更部１３１ａは、映像表示装置１００ａの電源がオンである場合に、切替部１４０の入力が映像ストリーム入力であるとき、且つ、無線通信とＨＤＭＩ（登録商標）との通信帯域が干渉しないときにおいては、ＨＰＤ端子１２１からはＬｏレベルの信号を出力させる。
【０１１１】
また、例えば、変更部１３１ａは、映像表示装置１００ａの電源がオンである場合に、切替部１４０の入力がＴＭＤＳ信号入力であるとき、つまり、表示部１６０にＴＭＤＳ信号に基づく映像を表示させているとき、ＨＰＤ端子１２１からはＨｉレベルの信号を出力させる。
【０１１２】
また、例えば、変更部１３１ａは、映像表示装置１００ａの電源が待機状態である場合に、つまり、表示部１６０に映像を表示させていない状態である場合には、ＨＰＤ端子１２１からはＨｉレベルの信号を出力させる。
【０１１３】
なお、例えば、変更部１３１ａは、映像表示装置１００ａの電源が待機状態である場合には、ＨＰＤ端子１２１からはＨｉレベルの信号を出力させてもよいし、Ｌｏレベルの信号を出力させてもよい。例えば、映像表示装置１００ａは、ユーザの操作を受け付けるボタン等の受付ボタンをさらに備え、変更部１３１ａは、当該受付ボタンがユーザから受け付けた指示に基づいて、ＨＰＤ端子１２１から出力させる信号のレベルを変更してもよい。
【０１１４】
［２−３．効果等］
以上のように、実施の形態２において、映像表示装置１００ａは、映像表示装置１００の構成に、さらに、判定部１３２を備える。判定部１３２は、ＨＤＭＩ（登録商標）ケーブル３３０を介したソース機器３００との通信の通信帯域の少なくとも一部が、チューナ機器２００から受信する映像ストリームの通信帯域と重なるか否かを判定する。この場合、変更部１３１ａは、ＨＰＤ端子１２１から出力させる信号をＨｉレベルにしている場合に、ＨＤＭＩ（登録商標）ケーブル３３０を介したソース機器３００との通信の通信帯域の少なくとも一部が映像ストリームの通信帯域と重なると判定部１３２が判定したとき、ＨＰＤ端子１２１に出力させる信号をＬｏレベルに変更する。
【０１１５】
このような構成によれば、変更部１３１ａは、実施の形態１における変更部１３１と同様に、映像ストリームを受信している無線通信に、ＨＤＭＩ（登録商標）通信によるノイズが干渉することを抑制することができる。そのため、映像ストリームに基づく映像の劣化は、抑制され得る。また、変更部１３１ａは、判定部１３２による無線通信にＨＤＭＩ（登録商標）通信が干渉するか否かの判定結果に基づいて、ＨＰＤ端子１２１に出力させる信号のレベルを変更する。例えば、変更部１３１ａは、判定部１３２が干渉しないと判定した場合には、ＨＰＤ端子１２１に出力させる信号のレベルをＨｉレベルのままとする。そのため、このような構成によれば、映像ストリームの画質の劣化を抑制しつつ、且つ、ＨＰＤ端子１２１に出力させる信号のレベルがＨｉレベルの場合にはソース機器３００と映像表示装置１００ａとの認証処理を発生させる回数をさらに低減することができる。
【０１１６】
（他の実施の形態）
以上のように、本出願において開示する技術の例示として、実施の形態１及び実施の形態２を説明した。しかしながら、本開示における技術は、これに限定されず、適宜、変更、置き換え、付加、省略などを行った実施の形態にも適用可能である。また、上記実施の形態で説明した各構成要素を組み合わせて、新たな実施の形態とすることも可能である。
【０１１７】
そこで、以下、他の実施の形態を例示する。
【０１１８】
例えば、上記実施の形態において、本開示に係る映像表示装置が備える制御部１３０、１３０ａ、映像処理部１５０等の構成要素の全部又は一部は、専用のハードウェアで構成されてもよく、或いは、各構成要素に適したソフトウェアプログラムを実行することによって実現されてもよい。各構成要素は、ＣＰＵ（Ｃｅｎｔｒａｌ  Ｐｒｏｃｅｓｓｉｎｇ  Ｕｎｉｔ）又はプロセッサ等のプログラム実行部が、ＨＤＤ（Ｈａｒｄ  Ｄｉｓｋ  Ｄｒｉｖｅ）又は半導体メモリ等の記録媒体に記録されたソフトウェアプログラムを読み出して実行することによって実現されてもよい。
【０１１９】
また、本開示に係る映像表示装置が備える制御部１３０、１３０ａ等の処理部の構成要素は、１つ又は複数の電子回路で構成されてもよい。１つ又は複数の電子回路は、それぞれ、汎用的な回路でもよいし、専用の回路でもよい。
【０１２０】
１つ又は複数の電子回路には、例えば、半導体装置、ＩＣ（Ｉｎｔｅｇｒａｔｅｄ  Ｃｉｒｃｕｉｔ）又はＬＳＩ（Ｌａｒｇｅ  Ｓｃａｌｅ  Ｉｎｔｅｇｒａｔｉｏｎ）等が含まれてもよい。ＩＣ又はＬＳＩは、１つのチップに集積されてもよく、複数のチップに集積されてもよい。ここでは、ＩＣ又はＬＳＩと呼んでいるが、集積の度合いによって呼び方が変わり、システムＬＳＩ、ＶＬＳＩ（Ｖｅｒｙ  Ｌａｒｇｅ  Ｓｃａｌｅ  Ｉｎｔｅｇｒａｔｉｏｎ）、又は、ＵＬＳＩ（Ｕｌｔｒａ  Ｌａｒｇｅ  Ｓｃａｌｅ  Ｉｎｔｅｇｒａｔｉｏｎ）と呼ばれるかもしれない。また、ＬＳＩの製造後にプログラムされるＦＰＧＡ（Ｆｉｅｌｄ  Ｐｒｏｇｒａｍｍａｂｌｅ  Ｇａｔｅ  Ａｒｒａｙ）も同じ目的で使うことができる。
【０１２１】
また、本開示の全般的又は具体的な態様は、システム、装置、方法、集積回路又はコンピュータプログラムで実現されてもよい。或いは、当該コンピュータプログラムが記憶された光学ディスク、ＨＤＤ若しくは半導体メモリ等のコンピュータ読み取り可能な非一時的記録媒体で実現されてもよい。
【０１２２】
例えば、本開示は、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）ケーブルを介してソース機器と接続される映像表示装置の制御方法であって、チューナ機器２００から無線通信によって映像ストリームを受信する無線通信ステップと、映像ストリームに基づく映像を表示する表示ステップと、ＨＤＭＩ（登録商標）ケーブル３３０を介してソース機器３００と通信するための接続信号を受信した場合に、ＨＤＭＩ（登録商標）コネクタ１２０が有するＨＰＤ端子１２１からソース機器３００に出力させる信号をＨｉレベルにし、ＨＰＤ端子１２１から出力させる信号をＨｉレベルにしている場合に、映像ストリームに基づく映像を表示するとき、ＨＰＤ端子１２１からソース機器３００に出力させる信号をＬｏレベルに変更する変更ステップと、を含む映像表示装置１００、１００ａの制御方法として実現されてもよい。
【０１２３】
また、例えば、本開示は、上記実施の形態１及び上記実施の形態２における映像表示装置１００、１００ａの制御方法をコンピュータによって実行させるためのプログラムとして実現されてもよい。また、このプログラムは、コンピュータ読み取り可能なＣＤ−ＲＯＭ等の記録媒体に記録されてもよいし、インターネット等の通信路で配信されてもよい。
【０１２４】
また、例えば、本開示に係る映像表示装置１００、１００ａは、アンプ、スピーカ等の音発生器を備えてもよい。また、ＴＭＤＳ信号には、映像データ以外のデータが含まれていてもよい。ＴＭＤＳ信号には、例えば、映像データだけでなく、音データも含まれていてもよい。制御部１３０、１３０ａは、ＴＭＤＳ信号に映像データ以外のデータ、例えば、音データ等が含まれている場合には、当該データに基づいた処理、例えば、音データに基づいて音を出力させる等の処理を実行すればよい。また、ＨＤＭＩ（登録商標）ケーブル３３０を介した通信に用いられる信号は、ＴＭＤＳ信号でなくてもよい。
【０１２５】
以上のように、本開示における技術の例示として、実施の形態を説明した。そのために、添付図面及び詳細な説明を提供した。
【０１２６】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１２７】
また、上述の実施の形態は、本開示における技術を例示するためのものであるから、請求の範囲又はその均等の範囲において種々の変更、置き換え、付加、省略などを行うことができる。
【産業上の利用可能性】
【０１２８】
本開示は、チューナ機器と無線通信し、且つ、ＨＤＭＩ（登録商標）ケーブルを介してソース機器と通信可能なテレビジョン等の映像表示装置に適用可能である。
【符号の説明】
【０１２９】
１００、１００ａ  映像表示装置
１１０、２３０  無線通信部
１２０、３２０  ＨＤＭＩ（登録商標）コネクタ
１２１、３２１  ＨＰＤ端子
１３０、１３０ａ  制御部
１３１、１３１ａ  変更部
１３２  判定部
１４０  切替部
１５０  映像処理部
１６０  表示部
１７０  電源ボタン
１７１  切替ボタン
２００  チューナ機器
２１０  チューナ部
２２０  ストリーム処理部
２４０  検出部
３００  ソース機器
３１０  信号処理部
３３０  ＨＤＭＩ（登録商標）ケーブル
４００、４００ａ  映像表示システム
【図１】
2020090527.tif 000003
【図２】
2020090527.tif 000004
【図３】
2020090527.tif 000005
【図４】
2020090527.tif 000006
【図５】
2020090527.tif 000007
【図６】
2020090527.tif 000008
【図７】
2020090527.tif 000009
【図８】
2020090527.tif 000010
【国際調査報告】
2020090527.tif 000011
2020090527.tif 000012